(57)【特許請求の範囲】
【請求項１】
前面に開口を有し電子部品を収容した筐体と、前記開口の上端付近に位置する水平軸の周りに回動して前記開口を開閉する扉とを備えた、屋外に設置される装置であって、
前記扉は、前記開口を閉じた状態における該扉の上面に、平坦な天面と、該天面上の前記開口の側に水平軸方向に延びるガイドと、該ガイドの両端の外側それぞれに前記天面よりも低い位置に設けられた誘導溝とを有するものであり、
前記ガイドは、該ガイドの前記水平軸方向における中央部を除く両端部が、該中央部の両端から前記ガイドの両端に向かうにしたがって先細となり前記筺体側に漸近する前縁を有するものであり、
さらに、前記扉は、前記ガイドの前記中央部に対応する領域を含む範囲において、該扉が開かれたときに前記天面から前記筺体側に滑落する水を受けるように前記開口の側に該扉の上端に沿って張り出して延設された樋を有し、
前記扉が閉じた状態においては、前記天面に滞留している水が、前記ガイドの前記両端部の前縁と前記天面との交差する領域を経て前記領域に対する水の濡れ性により前記誘導溝に導かれて装置外に排出され、前記扉が開かれたときには、前記扉の天面に滞留していた水のうち、前記ガイドの前記中央部を乗り越えて滑落するものは前記樋に収容され、前記ガイドの前記両端部に向かうものは、前記両端部で塞き止められて該両端部の前縁に沿って下降し前記誘導溝へ導かれて外部に排出されるように構成されていることを特徴とする装置。
【請求項２】
前記扉は、さらに、前記ガイドの後縁側における前記天面上に、一方の前記誘導溝から他方の前記誘導溝まで延びるパッキンを有するものであり、
該パッキンは、前記扉が閉じた状態において、前記筐体と前記天面との間に挟み込まれて、前記筐体内への水の侵入を遮断するとともに、前記パッキンに到達した水を前記誘導溝に導くものであり、前記パッキンの上面の高さが前記ガイドの上面の高さよりも低くなるように設けられていることを特徴とする請求項１記載の装置。
【請求項３】
前記パッキンの両端は、両方共に前記誘導溝内まで延びていることを特徴とする請求項２記載の装置。
【請求項４】
前記パッキンの両端は、両方共に前記ガイドの両端よりも外側に突出していることを特徴とする請求項２または３記載の装置。
【請求項５】
前記誘導溝と前記パッキンとの厚さ方向における重複領域を通る直線上での奥行方向において、前記誘導溝の長さと前記パッキンの長さとが一致していることを特徴とする請求項２から４のいずれか１項記載の装置。
【請求項６】
前記誘導溝の幅が、５ｍｍ以上、１０ｍｍ以下であることを特徴とする請求項１から５のいずれか１項記載の装置。
【請求項７】
前記誘導溝の奥行が、６ｍｍ以上、１２ｍｍ以下であることを特徴とする請求項１から５のいずれか１項記載の装置。
【請求項８】
前記誘導溝に導かれた水は、前記扉が閉じた状態において、前記扉の裏面と前記筐体の前面との間に上下方向に延びて形成された間隙に沿って毛細管現象と重力により下降し前記装置外に排出されることを特徴とする請求項１から７のいずれか１項記載の装置。
【請求項９】
前記ガイドは、前記中央部における奥行が略一定であることを特徴とする請求項１から８のいずれか１項記載の装置。
【請求項１０】
前記ガイドの前記中央部は、該中央部の中心から両端それぞれに向かうにしたがって奥行が小さくなる形状を有するものであることを特徴とする請求項１から８のいずれか１項記載の装置。
【請求項１１】
前記ガイドは、水に対する接触角が４５度以上、９０度未満である部材で形成されたものであることを特徴とする請求項１から１０のいずれか１項記載の装置。
【請求項１２】
前記ガイドは、前記中央部における奥行が、３ｍｍ以上、１０ｍｍ以下であることを特徴とする請求項１から１１のいずれか１項記載の装置。
【請求項１３】
前記ガイドの厚さが、２ｍｍ以上、１０ｍｍ以下であることを特徴とする請求項１から１２のいずれか１項記載の装置。
【請求項１４】
前記天面と前記ガイドの前記両端部の前縁とのなす角度が、直角、または鋭角であることを特徴とする請求項１から１３のいずれか１項記載の装置。
【請求項１５】
前記天面は、前記扉を閉じた状態において、該扉の裏面側の方が前面側よりも高さが低くなるように傾斜していることを特徴とする請求項１から１４のいずれか１項記載の装置。
【請求項１６】
前記天面の表面特性は、水に対する接触角が４５度以上、９０度未満であることを特徴とする請求項１から１５のいずれか１項記載の装置。
【請求項１７】
前記装置が、料金精算用の端末機であることを特徴とする請求項１から１６のいずれか１項記載の装置。
【請求項１８】
前面に開口を有する筐体と、前記開口の上端付近に位置する水平軸の周りに回動して前記開口を開閉する扉とを備えた、屋外に設置される装置の前記扉の天面に固着される防水ガイドであって、
長方形から該長方形における１つの長辺の両端の角部を含む三角形状の部分を両方共に除去してなる形状を有することを特徴とする防水ガイド。
【発明の詳細な説明】
【技術分野】
【０００１】
本発明は防水用の扉を有する装置および防水ガイドに関し、詳しくは、電子部品を収容した屋外に設置される装置であって、防水用の扉を有する装置、および屋外に設置された装置の扉に取り付けられる防水ガイドに関するものである。
【背景技術】
【０００２】
従来より、屋外に設置して使用される電子部品を収容した装置が知られている。例えば、そのような装置として、ガソリンスタンド（以下、SSという。）等に設置されるセルフサービス用の給油機や洗車機の操作を行うための端末機が知られている。また、ドライブスルーなどの屋外で乗車したままで操作する端末機も各種知られている。
【０００３】
これらの端末機は、ＰＯＳシステムと連動するものが多く、それらの装置には、顧客に相対する面に、サービスメニューを表示し、顧客からの注文指示を受け付ける液晶のタッチパネルからなる操作画面、操作画面の下方にはＩＣカードや携帯電話による電子マネーの支払いを行うためのタッチ式の非接触型ＩＣカードリーダー部、割引情報を印刷したレシートなどのＱＲコード（登録商標）及びバーコードを読み取るイメージセンサ、顧客が近づいたことを検知し操作画面を起動してメニューを表示したり音声ガイダンスを流したりする人感センサ、インターホンなどが配置される。
【０００４】
また、操作画面の横には、クレジットカードを挿入するカード挿入口、プリペイドカードを挿入するカード挿入口、印刷したレシートを排出するレシート取り出し口等が配置される。なお、これらの構成は、顧客に対して、どのような支払方法を認めるかにより、適宜選択されるものである。
【０００５】
そのような装置は、上記のような機能を実現するために、筐体内に、高精度な電子部品を収容しており、また、設置スペースとの関係から、筐体のサイズも制約され、電子部品の実装密度は、非常に高いものとなっている。
【０００６】
そして、その装置は、屋外に設置されるものや洗車機の近くに設置されるものであることから、雨や洗車時の水しぶきなどによる僅かな水の浸入が電子部品の誤動作、故障を引き起こす原因となる。そのため、筐体内へ水が侵入しないようにする高度な防水性が要求されている。
【０００７】
一般的に、このような装置は、前面に開口を有し、電子部品を収容した筐体と、筐体内の電子部品の点検修理のために、また、金銭の精算機能がある場合には金銭の回収や補充のためやレシート紙交換のために開口を開閉する扉とを備えている。その筐体を構成する部材の継ぎ目はシール材などにより封止されている。また、扉にもパッキンなどが取り付けられて、扉を閉じたときには、この扉と筐体との突合面からの水の浸入を防ぐようになっている。さらに、扉に設けられた開口部である、カード挿入部やレシート排出部には、外部からの水が浸入しないようにフラップが設けられている。
【０００８】
それらのことにより、雨や水しぶきなどが装置に掛かっても、扉が閉じられた筐体内に水が浸入することはなく、筐体内に収容されている電子部品の保護が図られるようになっている。
【０００９】
このような、筐体内への水の浸入を防止することができる装置として、例えば、特許文献１には、横開きの扉を閉めたときにその扉と筐体の間に生じる僅かな間隙からの水の侵入をより確実に防ぐため、筐体の開口の上端や扉の上端にウレタンシートを配置して雨水等の侵入を防止する方式が提案されている。
【００１０】
また、例えば、特許文献２，３には、毛細管現象により外部から機器内部に水が侵入して電気回路を劣化させることを防止するために、毛細管現象が生じないような領域を水の侵入経路に設けることが提案されている。この提案は、毛細管現象を遮断する領域を設けるものであるが、毛細管現象を利用して水を誘導するものではない。
【００１１】
さらに、例えば、特許文献４には、燃料電池を収納するケース内に滞留する水を、毛細管現象により吸収拡散して移動させ蒸発させる方式が提案されている。この提案は、毛細管現象を利用して水を誘導排出するものであるが、水を誘引してケース内から排出するものではない。
【００１２】
また、例えば、特許文献５には、車載レーダー装置に付着する雨滴を、毛細管現象により、幅が変化する溝に引き込むことにより雨水を効率的に排水する方式を提案している。この提案は、毛細管現象を利用して水を誘導し排出するものであるが、装置内への水の侵入を防止しようとするものではない。
【先行技術文献】
【特許文献】
【００１３】
【特許文献１】特開２０１５−１５８０８３号公報
【特許文献２】特開２００４−３２８９２５号公報
【特許文献３】特開２０１０−２５９２０８号公報
【特許文献４】特開２００６−１２７９４４号公報
【特許文献５】特開２００８−１０７２８３号公報
【発明の概要】
【発明が解決しようとする課題】
【００１４】
しかしながら、開口を有し電子部品を収容した筐体と、筐体の開口の上端付近に位置する水平軸の周りに回動させて開口を開閉する扉（以後、省略して単に扉ともいう）とを有する装置においては、扉の上面が濡れている状態で、その扉を開けたときには、扉の上面に滞留していた水が流れ落ちて、筐体内に水が侵入することがある。これがわずかな水の侵入であっても、電子部品に対して、致命的な障害を与えることがある。
【００１５】
より具体的には、例えば、雨上がり後、または洗車等による水しぶきが装置に掛かった後、この装置の扉を開けたとき筐体内に水が侵入するおそれがあり、その水の侵入により筐体内に収容されている電子部品が腐食により劣化するおそれがある。
【００１６】
本発明は、上記事情に鑑みてなされたものであり、電子機器を収容した筐体とその筐体に設けられた開口を開閉する扉とを有する装置において、扉が開かれたときにこの扉の上面から流れ落ちる水の筐体内への侵入を防止することができる装置、および屋外に設置される装置の扉の天面に固着されて、その装置の扉が開かれたときにその扉の上面から流れ落ちる水の筐体内への侵入を防ぐことができる防水ガイドを提供することを目的とするものである。
【課題を解決するための手段】
【００１７】
本発明の装置は、前面に開口を有し電子部品を収容した筐体と、開口の上端付近に位置する水平軸の周りに回動してその開口を開閉する扉とを備えた、屋外に設置される装置であって、扉は、開口を閉じた状態におけるこの扉の上面に、平坦な天面と、この天面上の開口の側に水平軸方向に延びるガイドと、このガイドの両端の外側それぞれに天面よりも低い位置に設けられた誘導溝とを有するものであり、ガイドは、ガイドの水平軸方向における中央部を除く両端部が、この中央部の両端からガイドの両端に向かうにしたがって先細となり筐体側に漸近する前縁を有するものであり、さらに、扉は、ガイドの中央部に対応する領域を含む範囲において、この扉が開かれたときに天面から筐体側に滑落する水を受けるように開口の側に該扉の上端に沿って張り出して延設された樋を有し、扉が閉じた状態においては、天面に滞留している水が、ガイドの両端部の前縁と天面との交差する領域を経て、この領域に対する水の濡れ性により誘導溝に導かれて装置外に排出され、扉が開かれたときには、扉の天面に滞留していた水のうち、ガイドの中央部を乗り越えて滑落するものは樋に収容され、ガイドの両端部に向かうものは、両端部で塞き止められて両端部の前縁に沿って下降し誘導溝へ導かれて外部に排出されるように構成されていることを特徴とするものである。
【００１８】
なお、本明細書において、前記扉の有する構成要素の寸法等については、その構成要素の水平軸方向における長さを「幅」、天面に平行で水平軸に直交する方向における長さを「奥行」、天面に直交する方向における長さを「厚さ」または「高さ」と称することとする。
【００１９】
前記扉は、さらに、ガイドの後縁側における天面上に、一方の誘導溝から他方の誘導溝まで延びるパッキンを有するものとし、このパッキンは、扉が閉じた状態において、筐体と天面との間に挟み込まれて、筐体内への水の侵入を遮断するとともに、パッキンに到達した水を誘導溝に導くものとし、このパッキンの上面の高さがガイドの上面の高さよりも低くなるように設けられたものとすることが望ましい。
【００２０】
前記パッキンの両端は、両方共に誘導溝内まで延びていることが望ましい。さらに、パッキンの両端は、誘導溝の幅の半分の長さまで誘導溝内に延びているようにすることもできる。
【００２１】
前記パッキンの両端は、両方共にガイドの両端よりも外側に突出していることがより望ましい。
【００２２】
前記誘導溝とパッキンとの厚さ方向における重複領域を通る直線上での奥行方向において、誘導溝の長さとパッキンの長さとを一致させることが望ましい。
【００２３】
前記誘導溝の幅は、５ｍｍ以上、１０ｍｍ以下とすることができる。また、前記誘導溝の奥行は、６ｍｍ以上、１２ｍｍ以下とすることができる。
【００２４】
前記誘導溝に導かれた水は、扉が閉じた状態において、扉の裏面と筐体の前面との間に上下方向に延びて形成された間隙に沿って毛細管現象と重力により下降し装置外に排出されることが望ましい。
【００２５】
前記ガイドは、中央部の奥行を略一定とすることができる。
【００２６】
前記ガイドの中央部は、この中央部の中心から両端それぞれに向かうにしたがって、奥行が小さくなる形状を有するものとすることができる。
【００２７】
前記ガイドは、水に対する接触角が４５度以上、９０度未満である部材で形成されたものとすることができる。
【００２８】
前記ガイドの中央部の奥行は、３ｍｍ以上、１０ｍｍ以下とすることができる。また、前記ガイドの厚さは、２ｍｍ以上、１０ｍｍ以下とすることができる。
【００２９】
前記天面とガイドの両端部の前縁とのなす角度は、直角、または鋭角とすることが望ましい。
【００３０】
前記天面は、扉を閉じた状態において、この扉の裏面側の方が前面側よりも高さが低くなるように傾斜しているものとすることができる。
【００３１】
前記天面の表面特性は、水に対する接触角が４５度以上、９０度未満であることが望ましい。
【００３２】
前記装置は、料金精算用の端末機とすることができる。
【００３３】
本発明の防水ガイドは、前面に開口を有する筐体と、この開口の上端付近に位置する水平軸の周りに回動してその開口を開閉する扉とを備えた、屋外に設置される装置の扉の天面に固着される防水ガイドであって、長方形からこの長方形における１つの長辺の両端の角部を含む三角形状の部分を両方共に除去してなる形状を有することを特徴とするものである。
【発明の効果】
【００３４】
本発明の装置によれば、前面に開口を有し電子部品を収容した筐体と、開口の上端付近に位置する水平軸の周りに回動して開口を開閉する扉とを備えた、屋外に設置される装置において、この扉を、開口を閉じた状態におけるその扉の上面に、平坦な天面と、この天面上の開口の側に水平軸方向に延びるガイドと、このガイドの両端の外側それぞれに天面よりも低い位置に設けられた誘導溝とを有するものとし、ガイドを、このガイドの水平軸方向における中央部を除く両端部が、その中央部の両端からガイドの両端に向かうにしたがって先細となり筐体側に漸近する前縁を有するものとし、さらに、その扉を、ガイドの中央部に対応する領域を含む範囲において、この扉が開かれたときに天面から筐体側に滑落する水を受けるように開口の側にこの扉の上端に沿って張り出して延設された樋を有するものとし、扉が閉じた状態においては、天面に滞留している水が、ガイドの両端部の前縁と天面との交差する領域を経て、この領域に対する水の濡れ性により誘導溝に導かれて装置外に排出され、扉が開かれたときには、扉の天面に滞留していた水のうち、ガイドの中央部を乗り越えて滑落するものは樋に収容され、ガイドの両端部に向かうものは、両端部で塞き止められてその両端部の前縁に沿って下降し誘導溝へ導かれて外部に排出されるように構成したので、扉が閉じた状態においては、扉の天面に滞留していた水を、この水の濡れ性により誘導溝に導いて装置外に排出することができ、扉の天面に滞留する水を、外部からエネルギーを供給することなく常時、装置外へ排出し続けることができる。これにより、低コストで扉の天面に滞留する水の量をより早く、より容易に減少させることができ、例えば、雨が止んだ後の同一時間経過後における扉の天面に残留する水の量を従来よりも少なくすることができる。
【００３５】
また、扉が開かれたときには、扉の天面に滞留していた水のうち、ガイドの中央部を乗り越えて滑落するものは樋に収容され、ガイドの両端部に向かうものは、両端部で塞き止められてその両端部の前縁に沿って下降し誘導溝へ導かれて外部に排出されるように構成したので、扉が開かれたときに樋に収容されることになる水が滞留する範囲と扉が開かれたときにガイドを経由して誘導溝へ導かれることになる水が滞留する範囲とを意図的に調節することができ、筐体内への水の侵入を防止するための構成部材とこの装置のその他の構成部材との物理的な干渉をより容易に避けることができる。より具体的には、例えば、扉を回動させるための部材と樋とが干渉する場合であっても、その干渉する領域に対応する領域にガイドの端部を配置して、樋を配置する領域を扉を回動させる部材とは干渉しない位置に容易に変更することができるので、構成部材間の物理的な干渉をより容易に避けることができる。
【００３６】
これにより、扉が開かれたときにこの扉の上面から流れ落ちる水の筐体内への侵入を防ぐことができ、そのように筐体内へ侵入した水に起因する電子部品の劣化をより確実に抑制することができる。
【００３７】
また、扉を、ガイドの後縁側における天面上に、一方の誘導溝から他方の誘導溝まで延びるパッキンを有するものとし、そのパッキンが、扉が閉じた状態において、筐体と天面との間に挟み込まれることで、筐体内への水の侵入を遮断するとともに、パッキンに到達した水を誘導溝に導くものとし、パッキンの上面の高さがガイドの上面の高さよりも低くなるようにすれば、ガイドの後縁と筐体の前面との間に、一方の誘導溝から他方の誘導溝まで延びるパッキンが敷かれた溝が形成される。このようにすれば、扉が閉じた状態において、ガイドの後縁側に侵入した水を、防水性の高いパッキンの上を通して誘導溝まで導いて装置外に排出することができ、ガイドの後縁側に侵入した水をその場所に滞留させることなく、また、その水を筐体内に侵入させることなく、より確実に装置外に排出することができる。これにより、ガイドの後縁と筐体の前面との間に滞留する水の量をより確実に減少させることができ、装置の扉が開かれたときにこの扉の上面から流れ落ちる水の筐体内への侵入をより確実に防ぐことができる。
【００３８】
また、パッキンの両端を、両方共に誘導溝内まで延びているものとすれば、扉が閉じた状態において、ガイドの後縁と筐体の前面との間に侵入した水をより容易に誘導溝に導くことができる。さらに、パッキンの両端を、両方共にガイドの両端よりも外側に突出しているものとすれば、ガイドの後縁と筐体の前面との間に侵入してパッキン上に滞留した水を、より確実に誘導溝に導くことができる。なお、パッキンの両端を、誘導溝の幅の半分の長さだけ誘導溝内に延びているものとすれば、ガイドの後縁と筐体の前面との間に侵入した水をさらに効率良く誘導溝に導くことができる。
【００３９】
なお、誘導溝とパッキンとの厚さ方向における重複領域を通る直線上での奥行方向において、誘導溝の長さとパッキンの長さとを一致させれば、水の流れに対する抵抗をより少なくしたり、天面に滞留する水を誘導溝へ連続的に導くための水の繋がりを維持し易くしたりすることができるので、天面に滞留する水を排出する効率を向上させることができる。なお、この効果の詳細については後述する。
【００４０】
また、誘導溝の幅を、５ｍｍ以上、１０ｍｍ以下にしたり、誘導溝の奥行を、６ｍｍ以上、１２ｍｍ以下にしたりすれば、天面上に滞留していた水を排出する効率の低下をより確実に抑制することができる。
【００４１】
また、誘導溝に導かれた水は、扉が閉じた状態において、扉の裏面と筐体の前面との間に上下方向に延びて形成された間隙に沿って毛細管現象と重力により下降し装置外に排出されるようにすれば、天面上に滞留していた水をより確実に排出することができる。
【００４２】
また、ガイドを、中央部の奥行が略一定なものとすれば、装置の扉が開かれたときに、この中央部を乗り越えて滑落する水の量を、幅方向に均一化することができるので、樋に滑落する水の量についても幅方向に均一化することができる。これにより、樋の一部分に偏って大量の水が滑落することを防ぐことができるので、樋の一部分から水が溢れたり水が飛び散ったりすることを抑制でき、扉の上面から流れ落ちる水の筐体内への侵入をより確実に防止することができる。
【００４３】
なお、ガイドの中央部を、この中央部の中心から両端それぞれに向かうにしたがって、奥行が小さくなる形状を有するものとすれば、装置の扉が開かれたときに、この中央部に対応する領域に滞留している水を、中央部を乗り越えて滑落する水と中央部から両端部へ流れる水とに分けることができるので、中央部を乗り越えて滑落する水の量を減少させることができる。これにより、樋に収容する水の量を少なくすることができ、樋から水が溢れたり水が飛び散ったりすることを抑制することができ筐体内への水の侵入をより確実に防ぐことができる。
【００４４】
ここで、ガイドを、水に対する接触角が４５度以上、９０度未満である部材で形成されたものとすれば、扉が閉じた状態において、この接触角に応じた撥水作用によりガイド上に滞留する水を弾いてこのガイド上に滞留する水の量を減少させることができる。これにより、扉が開かれたときにこの扉の上面から流れ落ちる水の量を少なくすることができるので、筐体内への水の侵入をより確実に防ぐことができる。なお、加水分解性及び耐候性、温度環境性に優れていれば硬度及び材質は適宜変更が可能である。
【００４５】
また、このガイドにおいて、中央部の奥行を、３ｍｍ以上、１０ｍｍ以下とすれば、扉が閉じた状態においてガイド上に滞留する水の量を一定量以下に制限することができるので、扉が開かれたときにガイドの上面から流れ落ちる水の量を減少させることができ、筐体内への水の侵入をより確実に防ぐことができる。
【００４６】
また、ガイドの厚さを、２ｍｍ以上、１０ｍｍ以下とすれば、扉が開かれたときに、扉の天面に滞留していた水のうち、ガイドの両端部に向かうものを、より確実に、両端部で塞き止めてその両端部の前縁に沿って下降させ誘導溝へ導くことができるので、筐体内への水の侵入をより確実に防ぐことができる。
【００４７】
なお、天面とガイドの両端部の前縁とのなす角度を、直角、または鋭角とすれば、天面とガイドの前縁とに対する水の濡れ性により、天面とガイドの前縁との交差する領域に水を引き寄せる力をより確実に得ることができ、その水をより確実に誘導溝に導くことができる。なお、この濡れ性による作用については後述する。
【００４８】
また、天面を、扉を閉じた状態において、この扉の裏面側の方が前面側よりも高さが低くなるように傾斜しているものとすれば、天面に滞留する水を、重力の作用により、ガイドの両端部に誘導し、さらに、その誘導された水を両端部の前縁に沿って下降させ誘導溝へ導くことができるので、扉を開いたときに、その扉の上面から流れ落ちる水の量を減少させることができ、筐体内への水の侵入をより確実に防止することができる。
【００４９】
また、天面を、水に対する接触角が４５度以上、９０度未満であるコーティングが施されたものとすれば、扉が閉じた状態において、この接触角に応じた撥水作用により天面上に滞留する水を弾いてこの天面上に滞留する水の量を減少させることができる。これにより、扉が開かれたときにこの扉の上面から流れ落ちる水の量を少なくすることができるので、筐体内への水の侵入をより確実に防ぐことができる。
【００５０】
本発明の装置を、料金精算用の端末機とすれば、雨や水しぶきなどが端末機に掛かった後、金銭の回収や補充のために装置の扉を開いた場合であっても、その扉の上面から流れ落ちる水の筐体内へ侵入を防ぐことができる。
【００５１】
本発明の防水ガイドによれば、前面に開口を有する筐体と、この開口の上端付近に位置する水平軸の周りに回動してその開口を開閉する扉とを備えた、屋外に設置される装置におけるその扉の天面に固着されるものとし、長方形からこの長方形における１つの長辺の両端の角部を含む三角形状の部分を両方共に除去してなる形状を有するものとしたので、そのような屋外に設置される装置の扉の天面に、この防水ガイドを後付けすることができる。そのようにすれば、その装置を、より容易に、本発明の装置のガイドによる効果と同様の効果を奏するものとすることができる。これにより、防水ガイドが後付けされた装置の扉が開かれたときにこの扉の上面から流れ落ちる水の筐体内への侵入をより確実に防ぐことができる。
【図面の簡単な説明】
【００５２】
【図１】本発明の実施の形態による装置であって筐体の開口を開閉する扉が閉じた状態の装置の概略構成を示す斜視図
【図２】図１中に示されているガイドの左側の端部を含む領域を拡大して示す図
【図３】扉が半開き状態の装置を示す斜視図
【図４】図３中に示されているガイドの左側の端部を含む領域を拡大して示す図
【図５】扉が完全に開いた状態で水受けが見えるようにした装置を示す斜視図
【図６】扉が完全に開いている状態で樋が見えるようにした装置を裏側からから見た斜視図
【図７】扉が完全に開いている状態で樋が見えるようにした装置の左側面図
【図８】扉が閉じた状態の装置の正面図
【図９】扉が閉じた状態の装置の平面図
【図１０】扉が閉じた状態の装置を拡大して示す平面図
【図１１】図１０におけるＦ-Ｆ断面を示す断面図
【図１２】図１１中に示されているガイドを含む領域を拡大して示す図
【図１３】図１０におけるＦ-Ｆ断面に対応する図であり扉が半開きになった状態の装置の断面を示す断面図
【図１４】図１３中に示されているガイドを含む領域を拡大して示す断面図
【図１５】扉が開かれた状態の天面における水の流れを示す図であり筐体を省略して示す図
【図１６】扉の裏側から誘導溝を含む領域を拡大して示す斜視図
【図１７】図１６に示されていたパッキンが外されている状態を示す図
【図１８】扉が閉じた状態における天面を含む領域を拡大して示す左側面図
【図１９】筐体に設けられた水受けを拡大して示す図である。
【図２０】図１０中に示されているガイドの端部の前縁に水が滞留している状態を拡大して示す図
【図２１】ガイドに滞留している水がガイドの前縁と天面との交差する領域に引き寄せられた様子を示す図
【図２２】ガイドに滞留している水がガイドの前縁と天面との交差する領域に沿ってガイドの端まで導かれて滞留している様子を示す図
【図２３】ガイドの端で滞留していた水が誘導溝に導かれた様子を示す図
【図２４】誘導溝に導かれた水が装置外に排出される様子を示す図
【図２５】ガイドの端部の前縁と天面との交差する領域を天面および前縁に対して平行な方向から見た様子を示す図
【図２６】誘導溝を含む領域を天面の上から見た図でありパッキンの端部が所定方向において誘導溝と過不足なく重なる場合を示す拡大図
【図２７】誘導溝を含む領域を天面の上から見た図でありパッキンの端部が所定方向において誘導溝の領域を超えて重なる場合を示す拡大図
【図２８】誘導溝を含む領域を天面の上から見た図でありパッキンの端部が所定方向において誘導溝の領域を覆いきれない場合を示す拡大図
【図２９】本発明の装置を組み込んだ料金精算用の端末機を示す図
【図３０】本発明の実施の形態による防水ガイドを示す図
【発明を実施するための形態】
【００５３】
〔本発明の装置について〕
以下、本発明の装置の実施の形態について、図面を用いて説明する。図１〜９は、本発明の装置の概略構成を示す図である。図１は、筐体の開口を開閉する扉が閉じた状態の装置を示す斜視図、図２は図１中に示されているガイドの左側の端部を含む領域を拡大して示す図、図３は扉が半開き状態の装置を示す斜視図、図４は図３中に示されているガイドの左側の端部を含む領域を拡大して示す図、図５は扉が完全に開いた状態で水受けが見えるようにした装置を示す斜視図である。また、図６は扉が完全に開いている状態で樋が見えるようにした装置を裏側から見た斜視図、図７は扉が完全に開いている状態で樋が見えるようにした装置の左側面図、図８は扉が閉じた状態の装置の正面図、図９は扉が閉じた状態の装置の平面図である。
【００５４】
さらに、図１０〜１９は、本発明の装置の構成をさらに簡略化して示す図である。図１０は扉が閉じた状態の装置を示す平面図、図１１は、図１０におけるＦ-Ｆ断面を示す断面図、図１２は、図１１中に示されているガイドを含む領域を拡大して示す図である。また、図１３は、図１０におけるＦ-Ｆ断面に対応する図であり扉が半開きになった状態の装置の断面を示す断面図、図１４は、図１３中に示されているガイドを含む領域を拡大して示す断面図、図１５は扉が開かれた状態の天面における水の流れを示す図であり筐体を省略して示す図である。また、図１６は扉の裏側から誘導溝を含む領域を拡大して示す斜視図、図１７は図１６に示されていたパッキンが外されている状態を示す図、図１８は扉が閉じた状態における天面を含む領域を拡大して示す左側面図、図１９は筐体に設けられた水受けを拡大して示す図である。
【００５５】
以下の説明においては、主に簡略図１０〜１９を参照して説明するものとする。なお、より実際の装置に近い構成については図１〜９も参照して説明する。
＜装置の構成について＞
図１から図９、および図１０から図１９に示す本発明の実施の形態による装置１００は、前面１１に開口１２を有し電子部品１４を収容した筐体１０と、開口１２の上端付近に位置する水平軸Ｈの周りに回動して開口１２を開閉する扉２０とを備えた、屋外に設置される装置である。
【００５６】
扉２０は、開口１２を閉じた状態におけるこの扉２０の上面に、平坦な天面３０と、この天面３０上の開口１２の側に水平軸Ｈ方向に延びるガイド４０と、ガイド４０の両端の外側それぞれに天面３０よりも低い位置に設けられた誘導溝５０とを有するものである。
【００５７】
ガイド４０は、このガイド４０の水平軸Ｈ方向における中央部４２を除く両端部４４が、中央部４２における両端からガイド４０の両端に向かうにしたがって先細となり、かつ、筐体１０の側に漸近する前縁４５ｆを有している。
【００５８】
さらに、扉２０は、ガイド４０の中央部４２に対応する領域を含む範囲において、扉２０を開いたときに天面３０から筐体１０の側に滑落する水を受けるように、この扉２０の上端に沿って開口１２の側に張り出して延設された樋６０を有している（図１０〜１５等参照）。
【００５９】
この装置１００は、扉２０が閉じた状態においては、天面３０に滞留している水が、ガイド４０の両端部４４の前縁４５ｆと天面３０との交差する交差領域Ｃを経て誘導溝５０に導かれて装置外に排出されるように構成されている（図４、１０、１５等参照）。
【００６０】
なお、天面３０に滞留している水が、交差領域Ｃを経て誘導溝５０に導かれる作用は、濡れ性により生じるものであり、この作用については後述する。
【００６１】
また、この装置１００は、扉２０が開かれたときには、天面３０に滞留していた水のうち、ガイド４０の中央部４２を乗り越えて滑落するものは上記のように樋６０に収容されるように構成されている（図４、６、７、１３、１４、１５等参照）。さらに、この装置１００は、ガイド４０の両端部４４に向かうものは、両端部４４で塞き止められて両端部４４の前縁４５ｆに沿って下降し、誘導溝５０へ導かれて外部に排出されるように構成されている（図４、１３、１４、１５等参照）。
【００６２】
また、扉２０は、さらに、ガイド４０の後縁４５ｂ側における天面３０上に、一方の誘導溝５０から他方の誘導溝５０まで延びるパッキン７０を有している（図１０、１２、１４等参照）。
【００６３】
このパッキン７０は、扉２０が閉じた状態において、筐体１０と天面３０との間に挟み込まれて、筐体１０内への水の侵入を遮断するとともに、パッキン７０に到達した水を誘導溝５０に導くものであり、パッキン７０の上面の高さがガイド４０の上面の高さよりも低くなるように設けられている（図１０、１２、１４、１６等参照）。
【００６４】
パッキン７０の両端は、両方共に誘導溝５０内まで延びている。なお、パッキン７０の両端は、誘導溝５０の幅の半分の長さまで誘導溝５０内に延びるようにしてもよい（図１０、１６等参照）。
【００６５】
さらに、パッキン７０の両端は、両方共にガイド４０の両端よりも外側に突出している（図１０、１６等参照）。このパッキン７０としては、硬度４５のクロロプレンゴム材料で形成された厚さ１ｍｍのものを採用することができる。水密性がとれることや加水分解性及び耐候性、温度環境性に優れていれば硬度及び材質は適宜変更が可能である。また、パッキンの厚みを選定する要素は水密性を取る為の潰し量であり、本例では、１ｍｍを０．５ｍｍまで潰している。
【００６６】
誘導溝５０とパッキン７０との高さ方向における重複領域を通る直線上での奥行方向において、誘導溝５０の長さとパッキン７０の長さとは一致している（図１０、１６等参照）。しかしながら、誘導溝５０とパッキン７０との配置については、必ずしもこのように限らず種々の態様による配置が可能である。なお、奥行方向を図中矢印Ｊで示す。
【００６７】
図１７に示すように、誘導溝５０は、誘導溝５０の幅方向における中心に向かって天面３０から下る斜面を有するものであり、パッキン７０は、図１６に示すように、この斜面に沿って誘導溝５０の底面まで延びている。なお、誘導溝５０の幅Ｖは、５ｍｍ以上、１０ｍｍ以下とすることができる（図１７参照）。また、誘導溝５０の奥行Ｄは、６ｍｍ以上、１２ｍｍ以下とすることができる。
【００６８】
例えば、天面３０の幅４４２．８ｍｍ、奥行２９．５ｍｍに対して、誘導溝５０の幅Ｖを５ｍｍ、奥行Ｄを６ｍｍ、溝の深さを１ｍｍとし、図１６に示すように、パッキン７０の端を、誘導溝５０の幅５ｍｍの半分の長さである２．５ｍｍまで誘導溝５０内に延ばすようにしてもよい。
【００６９】
なお、誘導溝５０は、必ずしも上記のような斜面を有する場合に限らず、単なる溝であってもよい。
【００７０】
なお、図１８に示すように、誘導溝５０に導かれた水は、扉２０が閉じた状態において、扉２０の裏面２２と筐体１０の前面１１との間に上下方向に延びて形成された間隙Ｓに沿って毛細管現象と重力により下降し装置外に排出される。しかしながら、必ずしもこのように水を排出する場合に限らない。
【００７１】
なお、ガイド４０は、上から見て、長方形からこの長方形における１つの長辺の両端の角部を含む三角形状の部分を両方共に除去してなる６角形形状、あるいは４角形形状（台形形状）をなすものである。その三角形状の部分を除去されたあとの傾斜辺がガイド４０の前縁４５ｆを構成するものとなる。
【００７２】
また、ガイド４０の中央部４２は、略一定幅を有するものとしたり、中央部４２の中心から両端それぞれに向かうにしたがって幅が狭くなる形状を有するものとしてもよい。
【００７３】
図１０に示すように、ガイド４０の奥行を、３ｍｍ以上、１０ｍｍ以下、ガイド４０の厚さ（高さ）を、２ｍｍ以上、１０ｍｍ以下とすることができる。
【００７４】
さらに、ガイド４０は、水に対する接触角が鋭角である部材で形成されたものであり、水に対する接触角が４５度以上、９０度未満である部材で形成されたものとすることが望ましい。さらに、ガイド４０は、接触角の範囲がより狭められた部材、例えば、水に対する接触角が６０度以上、７５度未満である部材で形成されたものであってもよい。このガイド４０は、親水性を有する範囲内においては比較的撥水性の高い部材で形成されたものとすることが望ましい。
【００７５】
また、ガイド４０の両端部４４の前縁４５ｆと天面３０とのなす角度は、直角、または鋭角であることが望ましい。
【００７６】
また、天面３０を上から見たときの、ガイド４０の両端部４４の前縁４５ｆの水平軸Ｈ方向に対する角度βは、３度以上、１０度以下とすることが望ましい（図１０参照）。
【００７７】
さらに、このガイド４０は、ガイド４０の上面よりも前縁４５ｆの方が表面の粗さが大きくなるように形成されているため、この上面よりも前縁４５ｆの方が水に濡れやすい。
【００７８】
なお、このガイド４０は、個別に製作された部材を天面３０に対して固着してなるものであるが、天面３０と一体的に形成されたものとしてもよい。例えば、ガイド４０と天面３０とを射出成型により一体的に形成するようにしてもよい。
【００７９】
さらに、この天面３０は、扉２０を閉じた状態において、この扉２０の裏面２２側の方が前面２１側よりも高さが低くなるように傾斜したものとすることができる。図１８に示すように、扉２０が閉じた状態において、水平面に対して天面３０の傾斜する角度αを５度以上、１５度以下にすることができ、例えば、その角度αを１０度にしてもよい。
【００８０】
天面３０は、水に対する接触角が鋭角であるコーティングが施されたものであり、水に対する接触角が４５度以上、９０度未満であるコーティングが施されたものとすることが望ましい。なお、天面３０は、接触角の範囲がより狭められたコーティング、例えば、水に対する接触角が６０度以上、７５度未満であるコーティングを施したものとしてもよい。すなわち、この天面３０は、親水性を有する範囲内においては比較的撥水性の高いコーティングが施されたものとすることが望ましい。
【００８１】
なお、天面３０が樹脂材料で形成されたものである場合には、塗装後に撥水スプレーを吹き付けることにより撥水性を高めることができる。また、天面３０が、樹脂材料以外の耐熱性を有する材料で形成されたものである場合には、熱を利用したコーティングを施すことができる。
【００８２】
なお、装置１００は各種の料金精算用の端末機として用いることができ、例えばガソリンスタンドにおける給油機や洗車機、洗車場、または駐車場等で使用されるものとして採用することができる。
＜装置の作用について＞
次に、上記のように構成された装置１００の作用について説明する。
・扉２０が閉じた状態における装置の作用について
はじめに、扉２０が閉じた状態における装置１００の作用について説明する。
【００８３】
図２０は、図１０中に示されているガイドの端部の前縁に水が滞留している状態を拡大して示す図、図２１は、ガイドに滞留している水がガイドの前縁と天面との交差する領域に引き寄せられた様子を示す図、図２２は、ガイドに滞留している水がガイドの前縁と天面との交差する領域に沿ってガイドの端まで導かれて滞留する様子を示す図、図２３は、ガイドの端で滞留していた水が誘導溝に導かれた様子を示す図、図２４は、誘導溝に導かれた水が装置外に排出される様子を示す図である。なお、図２０〜２４は、いずれも、扉が閉じた状態を示す図である。
【００８４】
図２０に示すように、扉２０が閉じた状態において、この扉２０の天面３０上の領域Ｒに水Ｗが滞留しており、その水Ｗは、ガイド４０の端部４４の前縁４５ｆの一部分からガイド４０の中央部４２の前縁４３ｆの一部分に亘って天面３０上に滞留しているものとする。
【００８５】
なお、天面３０に水が滞留する場合は、例えば、雨や洗車の水しぶき等により装置１００が水に濡れた場合等が想定される。なお、ガイド４０の上面は、親水性を有する範囲内においては比較的高い撥水性を示す表面となっている。そのため、このガイド４０の上面が水に濡れたとしても、その水の大部分はその上面から排斥されて、より高さの低い領域である天面３０上、あるいは、パッキン７０上に導かれる。
【００８６】
図２１に示すように、領域Ｒに滞留している水Ｗは、ガイド４０の端部４４の前縁４５ｆと天面３０との交差する交差領域Ｃに引き込まれる。すなわち、交差領域Ｃが水Ｗで濡れるようにこの水Ｗが移動しようとする力が働くことにより、領域Ｒに滞留している水Ｗが交差領域Ｃに引き込まれる。
【００８７】
次に、図２２に示すように、交差領域Ｃに引き込まれた水Ｗは、さらに、交差領域Ｃに対する水Ｗの濡れ性により、交差領域Ｃを経てガイド４０の端の外側、すなわちガイド４０の端面である側縁４１側に導かれて滞留する。
【００８８】
これにより、領域Ｒに滞留する水Ｗとガイド４０の側縁４１側に導かれて滞留する水Ｗとの間に水の繋がりが形成される。このような水の繋がりによる水路が形成されると、領域Ｒに滞留する水Ｗの水面の高さと側縁４１側に滞留する水Ｗの水面の高さとの差に応じた水圧差により、領域Ｒに滞留していた水Ｗが上記水路を通して側縁４１側の水Ｗの滞留領域へ供給される状態が継続される。この水Ｗの供給により、側縁４１側における水Ｗの滞留領域が広がって水Ｗが誘導溝５０にまで達すると、そこに達した水Ｗが呼び水となって、側縁４１側に滞留していた水Ｗは、より低い領域である誘導溝５０の中に引き込まれる（図１６、２３等参照）。
【００８９】
このように、交差領域Ｃに引き込まれた水Ｗが誘導溝５０に繋がると、天面３０上の領域Ｒに滞留していた水Ｗは、連続的に誘導溝５０へ導かれるようになり、さらに、誘導溝５０に導かれた水Ｗは、誘導溝５０よりもさらに低い装置１００内における領域に導かれて装置１００の外部に排出される（図２４等参照）。
【００９０】
このように、天面３０上の領域Ｒに滞留していた水Ｗは、交差領域Ｃおよび誘導溝５０を通って装置１００外に連続的に排出されるので、その領域Ｒに滞留する水Ｗの量は減少し続ける。そして、最終的には、領域Ｒに滞留していた水Ｗの大部分が排出される。
【００９１】
なお、ガイド４０の端部４４の前に滞留していた水のみならず、ガイド４０の中央に滞留していた水についても、水の繋がりが形成された場合には誘導溝５０に導かれて排出される。
・誘導溝に導かれた水を装置外に排出する方式について、
ここで、誘導溝５０に導かれた水Ｗを装置１００の外部に排出する方式について、図５、１１、１２、１６、１８、１９等を参照して説明する。
【００９２】
誘導溝５０に導かれた水Ｗは、誘導溝５０から奥行方向（図中矢印Ｊ方向）に誘導され（図１６等参照）、筐体１０に設けられた水受け１６に一旦収容される（図５、１１、１２、１９等参照）。なお、この水受け１６は、筐体１０に配置されたものであり、扉２０に設けられた誘導溝５０と対向配置されたものである（図１１，１２等参照）。
【００９３】
水受け１６に収容された水Ｗは、その後、扉２０の裏面２２と筐体１０の前面１１との間に上下方向に延びて形成された間隙Ｓに導かれて、この間隙Ｓに沿って毛細管現象と重力の作用により下降し装置１００外に排出される（図１８等参照）。
【００９４】
なお、誘導溝５０に導かれた水Ｗは、誘導溝５０から図中矢印Ｈ方向に誘導されて、装置１００外に排出される経路も有している。そのような経路を通る場合、誘導溝５０から図中矢印Ｈ方向に誘導された水Ｗは、水受け１６に収容されず、扉２０の裏面２２と筐体１０の前面１１との間に上下方向に延びて形成された間隙Ｓに直接導かれて、この間隙Ｓに沿って毛細管現象と重力により下降し装置１００外に排出される。
・扉２０が開かれたときの装置の作用について
次に、扉２０が開かれたときの装置１００の作用について説明する。
【００９５】
図３、４、１３、１４、１５等に示すように、扉２０が開かれたときには、天面３０に滞留していた水Ｗのうち、ガイド４０の中央部４２に対応する領域を含む範囲に存在していた水Ｗは、ガイド４０を乗り越えて滑落し（図１５中の矢印Ｐ参照）、扉２０の上端に沿って張り出して延設された樋６０に収容される。
【００９６】
なお、樋６０に収容された水Ｗは、扉２０を閉じたときにも外部に排出することなく樋６０内に保持し、自然乾燥により蒸発させて装置１００外に排出するようにしてもよい。
【００９７】
一方、ガイド４０の両端部４４に向かう水Ｗは、両端部４４で塞き止められて両端部４４の前縁４５ｆに沿って下降し誘導溝５０を通って外部に排出される（図１５中の矢印Ｑ参照）。なお、誘導溝５０を通って排出される水Ｗは、扉２０の開く角度が小さいときには、水受け１６を経て装置１００外に落下させ、扉２０の開く角度が大きくなったときには、水受け１６を経ることなく装置１００外に落下させるようにすることができる。
・交差領域Ｃに対する水の濡れ性について
次に、交差領域Ｃに対する水の濡れ性により、領域Ｒに滞留していた水が交差領域Ｃを経て誘導溝５０に導かれる作用に関し、図２５を参照してより詳しく説明する。
【００９８】
図２５は、図２０中に示されている交差領域Ｃを、天面３０および前縁４５ｆに対して平行な方向Ｕ（図２０の矢印Ｕで示す方向）から見た様子を示す図である。
【００９９】
図２５に示すように、扉２０が閉じた状態において、ガイド４０の前縁４５ｆと接触する水Ｗは、この前縁４５ｆの上端よりも水面の方が高くなるように表面張力の作用によって盛り上がり、一方、天面３０と接触する水Ｗは、液体と固体の種類によって決まる接触角θ１をなして天面３０上に滞留しているものとする。
【０１００】
この状態において、交差領域Ｃを構成する天面３０および前縁４５ｆに対する水Ｗの濡れ性の度合いに応じて、この交差領域Ｃが水Ｗに濡れようとするので、領域Ｒに滞留する水Ｗが交差領域Ｃの隅に引き込まれる。すなわち、この濡れ性による作用は、分子間力により、水の分子が前縁４５ｆおよび天面３０に引き寄せられて、水が前縁４５ｆおよび天面３０を濡れさせようとする力、換言すれば、前縁４５ｆおよび天面３０が水Ｗに濡れようとする力が働くことにより生じる作用である。
【０１０１】
図２５に示すように、交差領域Ｃの隅に引き込まれた水Ｗａは、上記の場合と同様に天面３０に対し接触角θ１で接触する。また、その引き込まれた水Ｗａは、鉛直面である前縁４５ｆに対し、液体と固体の種類によって決まる接触角θ２で接触する。
【０１０２】
ここで、接触角θ１および接触角θ２は両方共に鋭角であり、水は特定の表面に対する接触角が鋭角となる場合にはその領域を濡らそうとするので、その作用により、水Ｗａが交差領域Ｃに沿って引き込まれる。
【０１０３】
また、前縁４５ｆと天面３０との交差点Ｇに近い領域ほど、「その領域に対応する前縁４５ｆと天面３０の面積」に対する「その領域に対応する水の体積（重量）」の比率が小さくなるので、前縁４５ｆと天面３０との交差点Ｇに近い領域ほど水Ｗを引き込む力が強くなる。
【０１０４】
すなわち、水がその領域を濡らそうとする力（その領域が水に濡れようとする力）はその領域の面積に比例し、水がその領域を濡らすために動かそうとする水の重量はその水の体積に比例するので、交差点Ｇに近い領域ほど、「水がその領域を濡らそうとする力」対する「その領域を濡らすために動かそうとする水の体積（重量）」の比率が小さくなる。そのため、前縁４５ｆと天面３０との交差点Ｇに近い隅の領域ほど、および、天面３０と前縁４５ｆとのなす角度がより鋭角に（小さく）なるほど、単位体積当たりの水を動かそうとする力（引き込み力）が大きくなる。
【０１０５】
なお、このような濡れ性による挙動は、毛細管現象と類似した作用により生じるものである。すなわち、毛細管現象では、液体中に細管が挿入されると、細管の内面が液体で濡れようとする力が働くことにより、液体が細管内を移動する。ここで、例えば、細管を上下方向に向けた場合には、細管内を液体が上昇する。この液体の上昇する高さは細管の径が細くなるほど高くなる（すなわち、単位体積当たりの液体を動かそうとする力が大きくなる）。これと同様の作用により、交差領域Ｃ中の交差点Ｇに近い狭い領域ほど、および、天面３０と前縁４５ｆとのなす角度がより鋭角に（小さく）なって天面３０と前縁４５ｆとに挟まれる領域が狭くなるほど、単位体積当たりの水を動かそうとする力が大きくなる。
【０１０６】
このような作用により、ガイド４０の前縁４５ｆの全体に亘って交差領域Ｃに対して水Ｗが引き込まれると、図２２に示すように、領域Ｒに滞留する水Ｗとガイド４０の側縁４１の外側に滞留させる水Ｗとの間を繋ぐ水路が形成される。そのような水の繋がりが形成されると、上述のように、領域Ｒに滞留する水Ｗの水面の高さと側縁４１側に滞留する水Ｗの水面の高さとの差に応じた水圧差により、領域Ｒに滞留していた水Ｗが側縁４１側へ連続的に誘導される。
【０１０７】
なお、接触角θ１および接触角θ２が両方共に鈍角であった場合、水Ｗは接触角が鈍角となる表面を濡らそうとしないので、上記の場合とは逆に、水Ｗが交差領域Ｃに引き込まれることはない。
・パッキンの作用について
次に、扉２０が閉じている状態において、ガイド４０の前縁４５ｆ側の天面３０上の領域Ｒに滞留している水Ｗを、ガイド４０の両端部４４の前縁４５ｆと天面３０との交差する交差領域Ｃを経て誘導溝５０に導く場合のパッキン７０の作用について説明する。
【０１０８】
図２６は、誘導溝を含む領域を天面の上方から見た図でありパッキンの端部と誘導溝とが奥行方向において誘導溝と過不足なく重なる場合を示す拡大図、図２７は、誘導溝を含む領域を天面の上方から見た図でありパッキンの端部と誘導溝とが奥行方向において誘導溝の領域を超えて重なる場合を示す拡大図、図２８は、誘導溝を含む領域を天面の上方から見た図でありパッキンと誘導溝とが奥行方向において誘導溝の領域を覆いきれずに重なる場合を示す拡大図である。なお、上記所定方向は、奥行方向であり、各図中に矢印Ｊで示す方向である。また、図２６〜２８、いずれも扉２０が閉じた状態でこの扉を上から見た図であり筐体１０を省略して示す図である。
【０１０９】
図１６、２６に示すように、本発明の標準的なパッキンの態様においては、上述のように、誘導溝５０とパッキン７０との高さ方向における重複領域を通る直線上での奥行方向において、誘導溝５０の長さとパッキン７０の長さとは一致している。すなわち、パッキン７０の端部の前縁７５ｆの位置と誘導溝５０の前縁５５ｆの位置とが上記Ｊ方向において一致している。
【０１１０】
このような状態において、領域Ｒに滞留する水Ｗは、ガイドの両端部４４の前縁４５ｆと天面３０との交差する交差領域Ｃを経てガイド４０の側縁４１と前縁４５ｆとが交差する角Ｋ１を超えて側縁４１の外側に導かれる。
【０１１１】
側縁４１側に導かれた水Ｗは、側縁４１とパッキン７０とが交差する隅の領域Ｅ１に、一旦、滞留する。領域Ｒから領域Ｅ１への水Ｗの供給により隅の領域Ｅ１に滞留する水Ｗの範囲が広がって交差領域Ｃに導かれた水Ｗと誘導溝５０とが繋がると、隅の領域Ｅ１に滞留する水Ｗが呼び水となって、図中矢印Ｔ１で示すように、領域Ｒに滞留する水Ｗは、交差領域Ｃおよび隅の領域Ｅ１を経て誘導溝５０へ連続的に導かれるようになる。
【０１１２】
これに対して、本発明におけるパッキンの第１の変形例の態様においては、図２７に示すように、パッキン７０の端部の前縁７５ｆが誘導溝５０の前縁５５ｆよりも扉２０の前面２１側に突出している。このような場合、はじめに、上記標準的な態様の場合と同様に領域Ｒに滞留していた水Ｗは、交差領域Ｃを経て角Ｋ１を超えガイド４０の側縁４１側に導かれる。この側縁４１側に導かれた水Ｗは、ガイド４０の側縁４１とパッキン７０とが交差する隅の領域Ｅ２に滞留する。領域Ｒから領域Ｅ２への水Ｗの供給により、隅の領域Ｅ２に滞留する水Ｗの範囲が広がってパッキン７０における前縁７５ｆ側の角Ｋ２を超えて誘導溝５０に達すると、この隅の領域Ｅ２に滞留していた水Ｗを経由して誘導溝５０と領域Ｒとが繋がる。図２７中の矢印Ｔ２に示すように、この隅の領域Ｅ２に滞留する水Ｗが呼び水となって、領域Ｒに滞留していた水Ｗは、角Ｋ１、隅の領域Ｅ２、角Ｋ２を経由して誘導溝５０へ連続的に導かれる。
【０１１３】
しかしながら、このパッキン７０の第１の変形例の態様においては、ガイド４０の角Ｋ１とパッキンの角Ｋ２の２つの角を超えるため、水の流れに対する抵抗が大きくなって水の動きが鈍くなる。また、パッキンの角Ｋ２を超えるには、隅の領域Ｅ２に滞留させる水Ｗの量を所定量以上に増大させる必要があるが、一旦、隅の領域Ｅ２に滞留していた水Ｗが誘導溝５０に流れ込むと、この隅の領域Ｅ２に滞留する水Ｗの量が急激に減少する。これに対して、その隅の領域Ｅ２に滞留させる呼び水の供給が不足してしまうため、水Ｗの繋がりが切れてしまうことがある。すなわち、この変形例の態様は、水の流れに対する抵抗が大きいので水の動きが鈍く、また、水の繋がりが切れやすく、領域Ｒに滞留する水Ｗを誘導溝５０へ連続的に導くための水の繋がりを維持することが難しい。そのため、この第１の変形例の態様は、上記標準的な態様により領域Ｒに滞留する水Ｗを誘導溝５０に導いて排出するときの効率ほど高い効率でその水Ｗの排出を行うことができないことがある。
【０１１４】
また、本発明におけるパッキンの第２の変形例の態様によれば、図２８に示すように、パッキン７０の端部の前縁７５ｆが誘導溝５０の前縁５５ｆよりも扉２０の裏面２２側に後退している。
【０１１５】
このような状態において、はじめに、上記標準的な態様の場合と同様に、領域Ｒに滞留する水Ｗは、交差領域Ｃを経て角Ｋ１を超えガイド４０の側縁４１側に導かれる。領域Ｒから供給される水Ｗが側縁４１側に導かれることにより、この側縁４１側に滞留する水Ｗの範囲が広がると、その範囲が側縁４１とパッキン７０とが交差する隅の領域Ｅ３に達する。ここで、隅の領域Ｅ３は、誘導溝５０の上に位置し、この誘導溝５０と上下方向に繋がっている。そのため、隅の領域Ｅ３に滞留する水Ｗが呼び水となって真下に位置する誘導溝５０に引き込まれ、図２８中の矢印Ｔ３に示すように、領域Ｒに滞留していた水Ｗが、角Ｋ１、および隅の領域Ｅ３を経由して、誘導溝５０へ導かれる水Ｗの繋がりが一旦形成される。
【０１１６】
しかしながら、誘導溝５０への水Ｗの引き込みのため、隅の領域Ｅ３に滞留する水Ｗの量が急激に減少する。これに対して、この隅の領域Ｅ３に滞留させる呼び水の供給が不足してしまうため、水Ｗの繋がりが切れてしまうことがある。すなわち、この第２の変形例の態様は、水の繋がりが切れやすく、領域Ｒに滞留する水Ｗを誘導溝５０へ連続的に導くための水の繋がりを維持することが難しくなる。そのため、この第２の変形例の態様は、上記標準的な態様により領域Ｒに滞留する水Ｗを誘導溝５０に導いて排出するときの効率ほど高い効率でその水Ｗの排出を行なうことができないことがある。
【０１１７】
なお、パッキン７０は、親水性を有する範囲内では比較的撥水性の高い表面を有するものとすることが望ましい。このような場合、パッキン７０上に滞留し蓄積される水Ｗは、このパッキン７０の水濡れ性により両端に導かれる。この導かれた水をパッキン７０の前縁７５ｆとガイドの側縁４１とが交差する隅の領域（例えば図２６〜２８に示す隅の領域Ｅ１，Ｅ２，Ｅ３）に滞留させるようにすれば、この滞留させた水Ｗを上記のような呼び水として利用することができる。
【０１１８】
なお、ガイド４０は、上記６角形形状、あるいは４角形形状（台形形状）以外の形状をなすものであってもよい。例えば、ガイド４０は、長方形からこの長方形における１つの長辺の両端の角部を含む部分を両方共に除去してなる形状であって、その１つの長辺上の特定の位置からこの長辺の両端に向かうにしたがって先細となる形状を有するものであってもよい。
【０１１９】
また、上記１つの長辺上の特定の位置は、この長辺の中心とすることが望ましい。そのような場合の１例として、防水ガイド３００は、５角形形状、あるいは、かまぼこ型の形状をなすものとしてもよい。
・本装置を組み込んだ端末機について
図２９は、本発明の装置１００を、組み込んだ料金精算用の端末機２００を示す図である。
【０１２０】
このような端末機２００に対して雨や水しぶきなどが掛かった後、金銭の回収や補充のために装置１００の扉２０を開くことがあるが、そのような場合であっても扉２０の上面から流れ落ちる水の筐体１０内への侵入を、上述の場合と同様に防ぐことができる。
【０１２１】
なお、本願発明の装置は、上述の実施例による構成に限定されるものではなく、発明の要旨を変更しない限りにおいて種々の変形実施が可能である。
〔本発明の防水ガイドについて〕
以下、本発明の防水ガイドの実施の形態について説明する。
【０１２２】
図３０は、本発明の防水ガイドの形状を示す図である。
【０１２３】
本発明の実施の形態による防水ガイド３００は、前面に開口を有する筐体と、この開口の上端付近に位置する水平軸の周りに回動して開口を開閉する扉とを備えた、屋外に設置される装置の扉の天面に固着されて使用されるものである。
【０１２４】
より具体的には、防水ガイド３００は、例えば、図１から１９に示す装置１００におけるガイド４０の代わりに使用することが可能なものである。この防水ガイド３００は、長方形からこの長方形における１つの長辺の両端の角部を含む三角形状の部分を両方共に除去してなる形状を有している。
【０１２５】
より具体的には、この防水ガイド３００は、長方形からこの長方形における１つの長辺の両端の角部を含む三角形状の部分を両方共に除去してなる６角形形状、または５角形形状、あるいは４角形形状（台形形状）をなすものとしてもよい。
【０１２６】
さらに、この防水ガイド３００は、長方形からこの長方形における１つの長辺の両端の角部を含む部分を両方共に除去してなる形状であって、その１つの長辺上の特定の位置からこの長辺の両端に向かうにしたがって先細となる形状を有するものであってもよい。
【０１２７】
また、上記１つの長辺上の特定の位置は、この長辺の中心とすることが望ましい。そのような場合の１例として、防水ガイド３００は、かまぼこ型の形状をなすものとしてもよい。
【０１２８】
図３０に示すように、この防水ガイド３００は、幅（図３０の紙面左右方向における長さ）を４１１．８ｍｍ、中央部の奥行（図３０の紙面の前後方向における長さ）を１０ｍｍ、長手方向の端面における奥行（図３０の紙面の前後方向における長さ）を３ｍｍ、６角形形状の傾斜部分の長手方向の長さ（図３０の紙面左右方向における長さ）を５１ｍｍとすることができる。
【０１２９】
この防水ガイド３００の厚さ（図３０の紙面に対して垂直方向における高さ）は、例えば、２ｍｍ以上、１０ｍｍ以下とすることができ、また、防水ガイド３００の中央部の奥行（図３０の紙面の前後方向における長さ）は、３ｍｍ以上、１０ｍｍ以下とすることができる。
【０１３０】
なお、図３０に示す防水ガイド３００は単なる１例であり、本発明の防水ガイドは、この実施例による構成に限定されるものではない。また、本発明の防水ガイドは、発明の要旨を変更しない限りにおいて種々の変形実施が可能である。
【０１３１】
なお、本発明の装置におけるガイドの形状についても、この防水ガイドの形状と同じ形状を採用することができる。
【符号の説明】
【０１３２】
１０    筐体
１１    筐体の前面
１２    開口
１４    電子部品
１６    水受け
２０    扉
２１    扉の前面
２２    扉の裏面
３０    天面
４０    ガイド
４１    ガイドの側縁
４２    中央部
４３ｆ    中央部の前縁
４４    端部
４５ｆ    端部の前縁
４５ｂ    端部の後縁
５０    誘導溝
６０    樋
７０    パッキン
１００    装置
２００    端末機
３００    防水ガイド
Ｃ    交差領域
Ｈ    水平軸
Ｊ    奥行方向
Ｓ    間隙
Ｗ    水
Ｋ１    角
Ｋ２    角
Ｅ１    隅の領域
Ｅ２    隅の領域
Ｅ３    隅の領域
【図１】
0006661431.tif 000002
【図２】
0006661431.tif 000003
【図３】
0006661431.tif 000004
【図４】
0006661431.tif 000005
【図５】
0006661431.tif 000006
【図６】
0006661431.tif 000007
【図７】
0006661431.tif 000008
【図８】
0006661431.tif 000009
【図９】
0006661431.tif 000010
【図１０】
0006661431.tif 000011
【図１１】
0006661431.tif 000012
【図１２】
0006661431.tif 000013
【図１３】
0006661431.tif 000014
【図１４】
0006661431.tif 000015
【図１５】
0006661431.tif 000016
【図１６】
0006661431.tif 000017
【図１７】
0006661431.tif 000018
【図１８】
0006661431.tif 000019
【図１９】
0006661431.tif 000020
【図２０】
0006661431.tif 000021
【図２１】
0006661431.tif 000022
【図２２】
0006661431.tif 000023
【図２３】
0006661431.tif 000024
【図２４】
0006661431.tif 000025
【図２５】
0006661431.tif 000026
【図２６】
0006661431.tif 000027
【図２７】
0006661431.tif 000028
【図２８】
0006661431.tif 000029
【図２９】
0006661431.tif 000030
【図３０】
0006661431.tif 000031